(57)【要約】【課題】短時間で効率よく局部を乾燥することができる乾燥装置を備えた衛生洗浄装置を提供する。【解決手段】便座部４００の下面には、温風入口１３、温風ガイド１４および複数の温風噴出口１５が連通するように設けられている。温風入口１３は便座部４００の後部に配置され、温風ガイド１４は便座部４００の後部から便座部４００の前方に向かって略Ｕ字状に延び、複数の温風吹出口１５は温風ガイド１４の内側に分散するように間隔をおいて配置されている。また、便座部４００は外側の縁が下方に湾曲するように形成され、下面側に空間を有する。温風ガイド１４は便座部４００の下面側の空間に取り付けられている。【選択図】　　　　図８
2004092345.tif 000002
【特許請求の範囲】
【請求項１】
人体の被洗浄部を洗浄するための衛生洗浄装置であって、
被洗浄部の周囲を少なくとも部分的に取り囲むように着座可能な着座面を有する便座部と、
前記便座部へ着座した人体の被洗浄部に洗浄水を噴出する洗浄水噴出手段と、
気体を加圧して圧縮気体を発生する加圧手段と、
前記加圧手段により発生された圧縮気体を前記被洗浄部に噴出する気体噴出手段と、
気体を加熱する加熱手段と、
前記加熱手段により加熱された温風を噴出する温風供給手段とを備え、
前記温風供給手段は、温風を噴出する複数の温風吹出口を前記着座面より下方に有することを特徴とする衛生洗浄装置。
【請求項２】
前記便座部は、外側の縁が下方に湾曲するように形成されることにより下面側に空間を有し、
前記温風供給手段は、前記加熱手段からの温風を前記複数の温風噴出口に導く温風通路を前記便座部の下面側の空間に備えたことを特徴とする請求項１記載の衛生洗浄装置。
【請求項３】
前記温風供給手段は、前記加熱手段からの温風を前記複数の温風噴出口に導く温風通路を前記便座部内に備えたことを特徴とする請求項１記載の衛生洗浄装置。
【請求項４】
前記加圧手段および前記加熱手段を内蔵するとともに、前記便座部が後端部で開閉自在に取り付けられた本体部をさらに備え、
前記温風通路は、前記本体部に設けられた第１の通路部分と、前記便座部に設けられた第２の通路部分とを有し、前記便座部の開閉に伴って前記第１の通路部分と前記第２の通路部分とが互いに分離および結合することを特徴とする請求項２または３記載の衛生洗浄装置。
【請求項５】
前記温風吹出口は、吹出し角度が水平方向に対して斜め下方に傾斜するように形成されていることを特徴とする請求項１〜４のいずれかに記載の衛生洗浄装置。
【請求項６】
前記複数の温風吹出口は、前記便座部の少なくとも内側両側部に分散配置されていることを特徴とする請求項１〜５のいずれかに記載の衛生洗浄装置。
【請求項７】
前記複数の温風吹出口は、
前記便座部の内側両側部から内側後部にかけて略Ｕ字状に分散配置されたことを特徴とする請求項１〜６のいずれかに記載の衛生洗浄装置。
【請求項８】
前記気体噴出手段は、
前記便座部の後端部内側から進退可能に設けられ、圧縮気体を噴出するノズル装置を含むことを特徴とする請求項１〜７のいずれかに記載の衛生洗浄装置。
【請求項９】
前記ノズル装置は、
前記便座部の後端部内側から前後方向に延び、圧縮気体の通路を有する圧縮気体供給部と、
前記圧縮気体供給部から両側方に延び、複数の圧縮気体噴出口を有する圧縮気体噴出部とを含むことを特徴とする請求項１〜８のいずれかに記載の衛生洗浄装置。
【請求項１０】
前記圧縮気体噴出手段は、
噴出する圧縮気体の流量を制御する流量制御手段を含むことを特徴とする請求項１〜９のいずれかに記載の衛生洗浄装置。
【発明の詳細な説明】
【０００１】
【発明の属する技術分野】
本発明は、気体を噴出させることにより人体を乾燥させる乾燥装置を備えた衛生洗浄装置に関する。
【０００２】
【従来の技術】
人体の局部を洗浄する衛生洗浄装置においては、使用者の好みに応じた洗浄を実現すべく各種の機能が案出されてきた。使用者は、各種機能を用いた衛生洗浄装置を用いて局部洗浄を行い、トイレットペーパー等の紙により局部に付着した水滴の除去を行っていた。
【０００３】
しかし、近年、トイレットペーパー等の紙の代替として、乾燥装置が用いられている（例えば、特許文献１、特許文献２、特許文献３参照）。図１３は従来の乾燥装置を備えた衛生洗浄装置の一例を示す模式的断面図である。
【０００４】
図１３に示すように、衛生洗浄装置は、本体部８００、ノズル部８０１、便座部８０２、蓋部８０３、便器８０４および乾燥装置８０５を含む。
【０００５】
また、乾燥装置８０５は、本体部８００のケース８０６内に設けられ、ファン８０７、ヒータ８０８および噴出口８０９から構成される。
【０００６】
従来の衛生洗浄装置においては、使用者８１０がノズル部８０１により局部を洗浄水で洗浄した後、ファン８０７およびヒータ８０８の働きにより温めた空気を噴出口８０９より使用者８１０の局部に噴出する。
【０００７】
その結果、使用者８１０は、トイレットペーパー等の紙を使用せず、快適に局部の洗浄および乾燥を行うことができる。
【０００８】
【特許文献１】
特許第１６２５２９号公報
【特許文献２】
特開平８−１８４０８９号公報
【特許文献３】
特開昭６１−１２２３４２号公報
【０００９】
【発明が解決しようとする課題】
しかしながら、従来の乾燥装置を備えた衛生洗浄装置においては、長時間温風を局部に吹付けないと人体の局部に付着した水分を取り除くことができない。そのため、人体の局部を乾燥させるために多くの時間が必要であった。
【００１０】
また、人体の局部に吹付ける温風の温度を高くすれば、乾燥するために費やす時間を減少させることが可能であるが、局部に高温の温風を吹付けることにより炎症が起こる場合もある。
【００１１】
本発明の目的は、短時間で効率よく局部を乾燥することができる乾燥装置を備えた衛生洗浄装置を提供することである。
【００１２】
【課題を解決するための手段】
本発明に係る衛生洗浄装置は、人体の被洗浄部を洗浄するための衛生洗浄装置であって、被洗浄部の周囲を少なくとも部分的に取り囲むように着座可能な着座面を有する便座部と、便座部へ着座した人体の被洗浄部に洗浄水を噴出する洗浄水噴出手段と、気体を加圧して圧縮気体を発生する加圧手段と、加圧手段により発生された圧縮気体を被洗浄部に噴出する気体噴出手段と、気体を加熱する加熱手段と、加熱手段により加熱された温風を噴出する温風供給手段とを備え、温風供給手段は、温風を噴出する複数の温風吹出口を着座面より下方に有するものである。
【００１３】
本発明に係る衛生洗浄装置においては、人体の被洗浄部に対して、気体噴出手段からは圧縮気体が噴出され、着座面下方の複数の温風吹出口からは温風が噴出される。それにより、被洗浄部の水滴が圧縮気体により吹き飛ばされるとともに温風により蒸発される。特に、着座面下方の複数の温風吹出口から温風が吹出されるので、被洗浄部の全体が均一に乾燥する。したがって、比較的低温の温風により効果的な乾燥が実現でき、人体の被洗浄部の乾燥にかかる時間が短縮される。
【００１４】
便座部は、外側の縁が下方に湾曲するように形成されることにより下面側に空間を有し、温風供給手段は、加熱手段からの温風を複数の温風噴出口に導く温風通路を便座部の下面側の空間に備えてもよい。この場合、便座部の下面側の空間に温風通路が収容される。したがって、温風通路のための空間を新たに設ける必要がなく、便座部を大型化することなく、温風通路を容易に確保することができる。
【００１５】
温風供給手段は、加熱手段からの温風を複数の温風噴出口に導く温風通路を便座部内に備えてもよい。この場合、便座部内に温風通路が一体に形成される。したがって、温風通路を新たに設ける必要がなく、便座部を大型化する必要もない。さらに、便座部内の温風通路を任意に設計することができる。
【００１６】
加圧手段および加熱手段を内蔵するとともに、便座部が後端部で開閉自在に取り付けられた本体部をさらに備え、温風通路は、本体部に設けられた第１の通路部分と、便座部に設けられた第２の通路部分とを有し、便座部の開閉に伴って第１の通路部分と第２の通路部分とが互いに分離および結合してもよい。この場合、便座部を便器に対して閉じた状態では、第１の通路部分と第２の通路部分が結合する。それにより、加熱手段からの温風が第１および第２の通路部分を通して複数の温風吹出口から噴出される。便座部が便器に対して開いた状態では、第１の通路部分と第２の通路部分が分離して、便座部を本体部から取り外すことが可能である。したがって、便座部および便器の清掃を容易に行うことができる。
【００１７】
温風吹出口は、吹出し角度が水平方向に対して斜め下方に傾斜するように形成されていてもよい。この場合、温風は温風吹出口から斜め下方に噴出され、臀部の表面に沿って進み、周辺気体との温度差により生じる浮力により上昇して肛門部にも届く。したがって、被洗浄面部の全体に渡って温風が吹き当たる。
【００１８】
複数の温風吹出口は、便座部の少なくとも内側両側部に分散配置されていてもよい。この場合、便座部の内側両側部に分散配置された温風吹出口から温風が被洗浄面部の全体に渡って噴出される。したがって、効率の良い乾燥が実現できる。
【００１９】
複数の温風吹出口は、便座部の内側両側部から内側後部にかけて略Ｕ字状に分散配置されていてもよい。この場合、便座部の内側両側部から後部にかけて分散配置された温風吹出口から温風が被洗浄面部の全体に渡って噴出される。したがって、効率の良い乾燥が実現できる。
【００２０】
気体噴出手段は、便座部の後端部内側から進退可能に設けられ、圧縮気体を噴出するノズル装置を含んでもよい。この場合、ノズル装置の進退動作により被洗浄部の最適な箇所に圧縮気体を吹き当てることが可能である。したがって、効率の良い乾燥が実現できる。また、乾燥時にノズル装置を前進させ、乾燥以外のときにノズル装置を後退させることができる。それにより、ノズル装置に汚物が付着することが防止される。
【００２１】
ノズル装置は、便座部の後端部内側から前後方向に延び、圧縮気体の通路を有する圧縮気体供給部と、圧縮気体供給部から両側方に延び、複数の圧縮気体噴出口を有する圧縮気体噴出部とを含んでもよい。この場合、両側方に延びた圧縮気体供給部の複数の圧縮気体噴出口から圧縮気体が噴出されるので、広範囲に渡って圧縮気体が均一に被洗浄面部に吹き当てられる。したがって、広い範囲を短時間で乾燥することができる。
【００２２】
圧縮気体噴出手段は、噴出する圧縮気体の流量を制御する流量制御手段を含んでもよい。この場合、使用者は好みに応じて圧縮気体の風量を調整できる。
【００２３】
【発明の実施の形態】
以下、本発明の実施の形態に係る衛生洗浄装置について説明する。
【００２４】
図１は、本発明の実施の形態に係る衛生洗浄装置を便器に装着した状態を示す斜視図である。
【００２５】
図１に示すように、便器６００上に衛生洗浄装置１００が装着される。タンク７００は、水道配管に接続されており、便器６００内に洗浄水を供給する。
【００２６】
衛生洗浄装置１００は、本体部２００、遠隔操作装置３００、便座部４００および蓋部５００により構成される。
【００２７】
本体部２００には、便座部４００および蓋部５００が開閉自在に取り付けられる。さらに、本体部２００には、乾燥ノズル１を含む乾燥装置とノズル部３０を含む洗浄水供給装置とが設けられるとともに、制御部が内蔵されている。本体部２００の制御部は、後述するように遠隔操作装置３００により送信される信号に基いて、乾燥装置および洗浄水供給装置を制御する。さらに、本体部２００の制御部は、本体部２００に設けられた脱臭装置（図示せず）等の制御も行う。
【００２８】
図２は図１の遠隔操作装置３００の一例を示す模式図である。
図２に示すように、遠隔操作装置３００は、複数のＬＥＤ（発光ダイオード）３０１、複数の調整スイッチ３０２、おしりスイッチ３０３、刺激スイッチ３０４、停止スイッチ３０５、ビデスイッチ３０６、乾燥スイッチ３０７および脱臭スイッチ３０８を備える。
【００２９】
使用者により調整スイッチ３０２、おしりスイッチ３０３、刺激スイッチ３０４、停止スイッチ３０５、ビデスイッチ３０６、乾燥スイッチ３０７および脱臭スイッチ３０８が押下操作される。それにより、遠隔操作装置３００は、後述する本体部２００に設けられた制御部に所定の信号を無線送信する。
【００３０】
本体部２００の制御部は、遠隔操作装置３００より無線送信される所定の信号を受信し、洗浄水供給装置および乾燥装置等を制御する。
【００３１】
例えば、使用者が、おしりスイッチ３０３またはビデスイッチ３０６を押下操作することにより、図１の本体部２００のノズル部３０が移動して洗浄水が人体の被洗浄面に対して噴出される。刺激スイッチ３０４を押下操作することにより、図１の本体部２００のノズル部３０から人体の局部に刺激を与える洗浄水が噴出される。
【００３２】
また、乾燥スイッチ３０７を押下操作することにより人体の局部に対して衛生洗浄装置１００の乾燥装置より温風および圧縮空気が噴出される。停止スイッチ３０５を押下操作することにより、乾燥装置からの温風および圧縮空気の噴出が停止する。
【００３３】
さらに、脱臭スイッチ３０８を押下操作することにより、衛生洗浄装置１００の脱臭装置（図示せず）により周辺空気の脱臭が行われる。
【００３４】
調整スイッチ３０２は、風量調整スイッチ３０２ａ，３０２ｂ、温度調整スイッチ３０２ｃ，３０２ｄおよびノズル位置調整スイッチ３０２ｅ，３０２ｆを含む。
【００３５】
使用者が、ノズル位置調整スイッチ３０２ｅ，３０２ｆを押下操作することにより図１の衛生洗浄装置１００の本体部２００の乾燥ノズル１の位置が変化し、温度調整スイッチ３０２ｃ，３０２ｄを押下操作することにより、乾燥装置より噴出される温風の温度が変化する。また、風量調整スイッチ３０２ａ，３０２ｂを押下操作することにより、乾燥装置より噴出される温風および圧縮空気の風量が変化する。調整スイッチ３０２の押下操作に伴って複数のＬＥＤ（発光ダイオード）３０１が点灯する。
【００３６】
以下、本体部２００内に設けられた乾燥装置について説明を行う。図３は図１の衛生洗浄装置における乾燥装置の構成を示す模式図である。
【００３７】
図３に示す本体部２００の乾燥装置は、乾燥ノズル１、エアーポンプ２、蓄圧タンク３、電磁弁４、制御部５、モータ６、エアーファン１０、ヒータ１１および温風出口１２を含む。
【００３８】
本体部２００の乾燥装置の制御部５は、エアーポンプ２、電磁弁４、モータ６、エアーファン１０およびヒータ１１の動作を制御する。
【００３９】
制御部５は、遠隔操作装置３００の乾燥スイッチ３０７の押下操作による信号を受信すると、乾燥ノズル１および温風出口１２からそれぞれ圧縮空気および温風を噴出させるための制御を開始する。
【００４０】
まず、制御部５はエアーポンプ２に対し動作開始の指示を与える。エアーポンプ２は、制御部５より与えられる動作開始の指示に応じて周囲の空気を収集し、圧縮空気として蓄圧タンク３に供給する。蓄圧タンク３は、エアーポンプ２より供給される空気を蓄積する。また、蓄圧タンク３は、内蔵された圧力ゲージ（図示せず）により測定された圧力が所定の上限値を上回った場合に圧力上限情報を制御部５に与える。制御部５は、蓄圧タンク３より与えられた圧力上限情報に応じて、エアーポンプ２に停止指示を与える。さらに、蓄圧タンク３は、圧力ゲージにより測定された圧力が所定の下限値を下回った場合に圧力下限情報を制御部５に与える。制御部５は、蓄圧タンク３より与えられた圧力下限情報に応じて、エアーポンプ２に再度、動作開始の指示を与える。このようにして、蓄圧タンク３内の圧力が所定の範囲内に調整される。
【００４１】
続いて、制御部５は、電磁弁４に対し開閉動作の指示を与える。電磁弁４の開閉動作については後述する。電磁弁４は、一定の間隔で開閉動作を行い、蓄圧タンク３に蓄積された圧縮空気をパルス状に断続的に乾燥ノズル１に供給する。乾燥ノズル１は、電磁弁４より供給される圧縮空気を噴出口より人体の被乾燥面に対して噴出する。
【００４２】
また、制御部５は、モータ６に回転指示を与える。モータ６は、制御部５より与えられる回転指示に応じて回転し、乾燥ノズル１の伸縮動作を行う。この乾燥ノズル１の伸縮動作については後述する。
【００４３】
一方、制御部５は、エアーファン１０に対し動作開始の指示を与えるとともに、ヒータ１１に加熱の指示を与える。エアーファン１０は、制御部５より与えられる動作開始の指示に応じて周囲の空気を収集し、ヒータ１１に供給する。ヒータ１１は、制御部５の加熱の指示に応じてエアーファン１０より供給される空気を加熱し、温風として温風出口１２に供給する。また、ヒータ１１は、温風出口１２に供給する温風の温度値を制御部５に与える。制御部５は、ヒータ１１より与えられた温度値に応じて温風を最適な温度に加熱するためにフィードバック制御を行う。温風出口１２から噴出された温風は図１における温風入口１３、温風ガイド（温風通路）１４および温風吹出口１５を経由して人体の被乾燥面に対して噴出される。
【００４４】
図４は本体部２００内に設けられた乾燥装置の一例を示す模式図である。
図４（ａ）は本体部２００の乾燥装置を正面より透過視した図を示し、図４（ｂ）は図４（ａ）の本体部２００の乾燥装置の模式的断面図である。
【００４５】
本体部２００のケーシング２０１内にエアーポンプ２、蓄圧タンク３、電磁弁４、エアーファン１０およびヒータ１１が内臓されている。ケーシング２０１の前面に温風出口１２が設けられ、ケーシング２０１内から前方に突出するように乾燥ノズル１およびノズル部３０が設けられている。
【００４６】
図４（ａ）に示すようにエアーファン１０により収集された空気は、ヒータ１１により温められ、温風出口１２より噴出される。
【００４７】
一方、エアーポンプ２により圧縮された空気は、蓄圧タンク３に一時蓄積される。そして、電磁弁４の開閉動作により蓄圧タンク３に蓄積された圧縮空気が、乾燥ノズル１より噴出される。
【００４８】
また、図２の遠隔操作装置３００のノズル位置調整スイッチ３０２ｅ，３０２ｆを押下操作することにより、乾燥ノズル１は、図４（ｂ）に示すように、モータ６の回転動作により矢印Ｚ方向に伸張し、人体の被乾燥面に接近して圧縮空気を噴出させる。
【００４９】
図５は図３および図４に示すエアーポンプ２の構造の一例を示す模式図である。
【００５０】
図５において、エアーポンプ２のハウジング２３０の底部には、空気取込口ＩＡが設けられ、ハウジング２３０の一側部には、空気送出口ＯＡが設けられる。この空気送出口ＯＡは、図３または図４の蓄圧タンク３に接続される。
【００５１】
ハウジング２３０内において、モータ２１５が保持板２１３に保持され、保持板２１３はハウジング２３０の内側上面に取り付けられた固定板２１４によりバネ２１１を介して取り付けられる。さらに、ハウジング２３０の内壁に、吸音材２１２が取り付けられている。したがって、モータ２１５の音および振動がエアーポンプ２の外部に伝達されない。
【００５２】
また、モータ２１５の回転軸にはギア２２０が取り付けられ、ギア２２０にギア２１０が噛み合っている。ギア２１０には、クランクシャフト２１７の一端が回動可能に取り付けられ、クランクシャフト２１７の他端には、圧縮ケース２１６内のピストン２１８が取り付けられている。
【００５３】
モータ２１５が、制御部５より与えられる動作開始指示に応じて回転軸を回転させることにより、回転軸に取り付けられたギア２２０が回転し、それに伴ってギア２１０が回転することにより、クランクシャフト２１７が矢印Ｙの方向に往復運動する。その結果、圧縮ケース２１６内のピストン２１８が、空気を圧縮し、空気送出口ＯＰより蓄圧タンク３に圧縮された空気を供給する。
【００５４】
図６は電磁弁４の開閉動作により乾燥ノズル１に供給される圧縮空気の圧力変化を示す図である。縦軸は電磁弁４から乾燥ノズル１に供給される圧縮空気の圧力であり、横軸は時間である。
【００５５】
パルスの時間幅ＯＣは電磁弁４が開放されて圧縮空気が乾燥ノズル１に供給される時間であり、パルスの時間間隔ＦＣは電磁弁４が閉塞されて圧縮空気が乾燥ノズル１に供給されない時間である。
【００５６】
図６に示すように、電磁弁４は所定時間ごとに開閉を周期的に繰り返し、乾燥ノズル１に圧縮空気をパルス状に供給する。例えば、パルスの時間間隔ＦＣを９４０ｍｓｅｃ、パルスの時間幅ＯＣを６０ｍｓｅｃに設定すると、６０ｍｓｅｃの間は電磁弁４が開放され、９４０ｍｓｅｃの間は電磁弁４が閉塞される。それにより、乾燥ノズル１から断続的な圧縮空気を人体の被乾燥面に対して噴出させることが可能となる。
【００５７】
パルスの時間間隔ＦＣを大きくすると圧縮空気が供給される間隔が大きくなるため風量は減少し、パルスの時間間隔ＦＣを小さくすると圧縮空気が供給される間隔が小さくなるため風量は増加する。また、パルスの時間幅ＯＣを大きくすると圧縮空気が供給される時間が大きくなるため風量は増加し、パルスの時間幅ＯＣを小さくすると圧縮空気が供給される時間が小さくなるため風量は減少する。
【００５８】
図２の遠隔操作装置の風量調整スイッチ３０２ａ，３０２ｂを押下操作することにより、パルスの時間幅ＯＣとパルスの時間間隔ＦＣの少なくとも一方を制御して乾燥ノズル１から噴出される圧縮空気の風量を変化させることができる。たとえば、パルスの周期を一定にし、パルスのデューティ比（パルスの１周期に対するパルスの時間幅）を変化させることにより風量を制御することができる。
【００５９】
図７は乾燥ノズル１を説明するための図である。
図７（ａ）は乾燥ノズル１の外観の一例を示す模式的平面図であり、図７（ｂ）は乾燥ノズル１の模式的断面図である。
【００６０】
図７（ａ）に示すように、乾燥ノズル１は圧縮空気供給部１１１および圧縮空気噴出部１１２により構成され、圧縮空気供給部１１１の先端に圧縮空気噴出部１１２がＴ字状に一体的に設けられている。圧縮空気供給部１１１および圧縮空気噴出部１１２は内部に圧縮空気の通路を有す。圧縮空気噴出部１１２の上面には複数の噴出口１１０が設けられている。図７（ｂ）に示すように、噴出口１１０からは、蓄圧タンク３から電磁弁４を介して供給されたパルス状の断続的な圧縮空気が人体の被乾燥面に対して噴出される。噴出口１１０は、被乾燥面に対して複数配設されている。乾燥ノズル１が前後方向に移動することにより被乾燥面の全体に圧縮空気が噴出される。
【００６１】
図８は温風の通路が設けられた便座部４００を説明する図である。図８（ａ）は便座部４００の一例を示す模式図であり、図８（ｂ）は図８（ａ）のＡ−Ａ線断面図である。
【００６２】
図８（ａ）に示すように、便座部４００の下面には、温風入口１３、温風ガイド１４および複数の温風噴出口１５が連通するように設けられている。温風入口１３は便座部４００の後部に配置され、温風ガイド１４は便座部４００の後部から便座部４００の前方に向かって略Ｕ字状に延び、複数の温風吹出口１５は温風ガイド１４の内側に分散するように間隔をおいて配置されている。また、図８（ｂ）に示すように、便座部４００は外側の縁が下方に湾曲するように形成され、下面側に空間を有する。温風ガイド１４は便座部４００の下面側の空間に取り付けられている。
【００６３】
エアーファン１０から供給された温風は、温風入口１３を通って温風ガイド１４に供給され、複数の温風吹出口１５から被乾燥面の全体に渡って噴出される。
【００６４】
使用者が図２の遠隔操作装置３００の乾燥スイッチ３０７を押下操作することにより、乾燥ノズル１から断続的な圧縮空気が噴出されるとともに、便座部４００に設けられた複数の温風噴出口１５から被乾燥面の全体に渡って温風が吹き当たる。したがって、比較的低温の温風により効果的な乾燥が実現でき、乾燥にかかる時間が短縮される。
【００６５】
また、便座部４００の下面側の空間を利用することにより温風ガイド１４のための空間を新たに設ける必要がなく、便座部４００を大型化することなく、温風通路を容易に確保できる。
【００６６】
図９は便座部４００を開閉させた状態を示す模式図である。図９（ａ）は便座部４００が閉じた状態を示し、図９（ｂ）は便座部４００が開いた状態を示す。
【００６７】
図９（ａ）に示すように、便座部４００を便器６００に対して閉じた状態では、温風入口１３と温風出口１２が結合し、エアーファン１０、温風出口１２、温風入口１３および温風ガイド１４は連通する。それにより、エアーファン１０から供給された温風は図８の温風吹出口１５から噴出される。
【００６８】
一方、図９（ｂ）に示すように、便座部４００が便器６００に対して開いた状態では、温風出口１２と温風入口１３とが分離する。したがって、便座部４００を本体部２００から取り外すことが可能である。その結果、便座部４００および便器６００の清掃を容易に行うことができる。
【００６９】
図１０は温風吹出口１５から噴出される温風の流れを示す模式図である。
図１０に示すように、温風吹出口１５の吹出し角度は水平方向に対して斜め下方に傾斜するように設定されている。
【００７０】
臀部は温風吹出口１５よりも下方に張り出しているため、温風吹出口１５から温風を水平方向に噴出した場合には、噴出された温風は張り出した臀部に当たって下向きに方向を変え、便器６００内で対流することになる。したがって、肛門部に温風が吹き当たらず、効率が悪い。
【００７１】
これに対して、図１０のように温風吹出口１５が水平方向に対して斜め下方に傾斜するように形成されていれば、温風吹出口１５から噴出される温風は斜め下方に噴出され、臀部の表面に沿って進み、周辺空気との温度差により生じる浮力により上昇して肛門部にも届き、全体に吹き当たる。その結果、効率の良い乾燥が実現できる。
【００７２】
図１１および図１２は便座部４００のその他の例を説明する図である。
図１１（ａ）は便座部４００の他の例を示す模式図である。図１１（ｂ）は図１１（ａ）のＡ−Ａ線断面図である。
【００７３】
図１１（ａ）に示すように、便座部４００には、温風入口１３、温風ガイド１４および複数の温風噴出口１５が連通するように設けられている。温風入口１３は便座部４００の後部に配置され、温風ガイド１４は便座部４００の後部から便座部４００の前方に向かって略Ｕ字状に延び、複数の温風吹出口１５は温風ガイド１４の内側に分散するように間隔をおいて配置されている。
【００７４】
また、図１１（ｂ）に示すように、温風ガイド１４および温風吹出口１５は便座部４００と一体で形成されている。
【００７５】
エアーファン１０から供給された温風は、温風入口１３を通って温風ガイド１４に供給され、複数の温風吹出口１５から被乾燥面の全体に渡って噴出される。
【００７６】
使用者が図２の遠隔操作装置３００の乾燥スイッチ３０７を押下操作することにより、乾燥ノズル１から断続的な圧縮空気が噴出されるとともに、便座部４００に設けられた複数の温風噴出口１５から被乾燥面の全体に渡って温風が吹き当たる。したがって、比較的低温の温風により効果的な乾燥が実現でき、乾燥にかかる時間が短縮される。
【００７７】
また、便座部４００と温風ガイド１４が一体で形成されているため、温風ガイドを新たに設ける必要がなく、便座部４００を大型化する必要もない。さらに、便座部４００内の温風ガイド１４を任意に設計することができる。
【００７８】
図１２は便座部４００を開閉させた状態を示す模式図である。図１２（ａ）は便座部４００が閉じた状態を示し、図１２（ｂ）は便座部４００が開いた状態を示す。
【００７９】
図１２（ａ）に示すように、便座部４００を便器６００に対して閉じた状態では、温風入口１３と温風入口１２が結合し、エアーファン１０、温風出口１２、温風入口１３および温風ガイド１４は連通する。それにより、エアーファン１０から供給された温風は図１１の温風吹出口１５から噴出される。
【００８０】
一方、図１２（ｂ）に示すように、便座部４００が便器６００に対して開いた状態では、温風出口１２と温風入口１３が分離する。したがって、便座部４００を本体部２００から取り外すことが可能である。
【００８１】
また、温風入口１３と温風ガイド１４と風吹出口１５が便座と一体に形成されているため、便器６００から便座部４００を取り外すときに、温風入口１３と温風ガイド１４と温風吹出口１５とを便座部４００から取り外す必要がない。その結果、便座部４００および便器６００の清掃を容易に行うことができる。
【００８２】
本実施の形態においては、乾燥ノズル１、電磁弁４、蓄圧タンク３が気体噴出手段に相当し、乾燥ノズル１がノズル装置に相当し、電磁弁４が流量制御手段に相当し、エアーポンプ２が加圧手段に相当し、エアーファン１０および温風出口１２が温風供給手段に相当し、ヒータ１１が加熱手段に相当し、温風吹出口１５が温風吹出口に相当し、温風ガイド１４が温風通路に相当し、温風出口１２が第１の通路部分に相当し、温風入口１３が第２の通路部分に相当する。
【００８３】
【発明の効果】
本発明に係る衛生洗浄装置においては、人体の被洗浄部に対して、気体噴出手段からは圧縮気体が噴出され、着座面下方の複数の温風吹出口からは温風が噴出される。それにより、被洗浄部の水滴が圧縮気体により吹き飛ばされるとともに温風により蒸発される。特に、着座面下方の複数の温風吹出口から温風が吹出されるので、被洗浄部の全体が均一に乾燥する。したがって、比較的低温の温風により効果的な乾燥が実現でき、人体の被洗浄部の乾燥にかかる時間が短縮される。
【図面の簡単な説明】
【図１】本発明の一実施の形態に係る衛生洗浄装置を便器に装着した状態を示す斜視図
【図２】図１の遠隔操作装置の一例を示す模式図
【図３】本発明の一実施の形態に係る衛生洗浄装置の乾燥装置の構成を示す模式図
【図４】本発明の一実施の形態に係る衛生洗浄装置の乾燥装置の構造を示す模式図
【図５】エアーポンプの構造の一例を示す模式図
【図６】電磁弁により乾燥ノズルに供給される圧縮空気の圧力変化を示す図
【図７】乾燥ノズルの構造の一例を示す模式図
【図８】便座部の構造の一例を示す模式図
【図９】便座部を開閉させた状態を示す模式図
【図１０】温風吹出口から噴出される温風の流れを示す模式図
【図１１】便座部の構造の一例を示す模式図
【図１２】便座部を開閉させた状態を示す模式図
【図１３】従来の乾燥装置を備えた衛生洗浄装置の一例を示す模式的断面図
【符号の説明】
１　乾燥ノズル
２　エアーポンプ
３　蓄圧タンク
４　電磁弁
５　制御部
６　モータ
１０　エアーファン
１１　ヒータ
１２　温風出口
１３　温風入口
１４　温風ガイド
１５　温風吹出口
３０　ノズル部
１１０　噴出口
１１１　圧縮空気供給部
１１２　圧縮空気噴出部
２００　本体部
３００　遠隔操作装置
４００　便座部
５００　蓋部
６００　便器
ＯＣ　パルスの時間幅
ＦＣ　パルスの時間間隔
【図１】
2004092345.tif 000003
【図２】
2004092345.tif 000004
【図３】
2004092345.tif 000005
【図４】
2004092345.tif 000006
【図５】
2004092345.tif 000007
【図６】
2004092345.tif 000008
【図７】
2004092345.tif 000009
【図８】
2004092345.tif 000010
【図９】
2004092345.tif 000011
【図１０】
2004092345.tif 000012
【図１１】
2004092345.tif 000013
【図１２】
2004092345.tif 000014
【図１３】
2004092345.tif 000015